(57)【特許請求の範囲】
【請求項１】
第一表示物（１３ａ）及び第二表示物（１３ｂ）を少なくとも含む複数の表示物（１３）が表示領域（１２）に発光表示される表示装置であって、
前記表示物を発光表示させる光を減衰させつつ射出する減衰部（１１）、を有する外表面パネル（１０）と、
前記表示領域に前記第一表示物を発光表示させる光を前記減衰部に入射させ、当該第一表示物の表示態様を変形可能な表示器（３０）と、
前記表示領域に前記第二表示物を発光表示させる光を放出する光源（５４）と、
前記第二表示物の形状を規定する透光部（２４）が形成された遮光層（２３）、及び前記表示領域側から前記遮光層を覆うことにより、前記透光部を通過した前記光源からの光を減衰させる減衰層（２２）、を有し、前記減衰層にて減衰された光を前記減衰部に入射させることで前記表示領域に前記第二表示物を発光表示させる表示形成部材（２０，２２０）と、を備える表示装置。
【請求項２】
前記表示形成部材は、前記遮光層及び前記減衰層を支持し、前記表示領域側から前記表示器を覆う透光性の透光基材（２１）を有し、
前記減衰層は、前記透光基材のうちで前記表示器を覆う領域（２１ａ）を避けて形成されている請求項１に記載の表示装置。
【請求項３】
前記透光基材は、前記減衰層に対して前記減衰部側に位置する請求項２に記載の表示装置。
【請求項４】
前記減衰層における光の透過率は、前記減衰部における光の透過率よりも高い請求項１〜３のいずれか一項に記載の表示装置。
【請求項５】
前記減衰部において、前記表示器及び前記表示形成部材から射出された光の入射する入射面（１５）は、当該入射面に入射した光を射出する射出面（１６）に沿った形状である請求項１〜４のいずれか一項に記載の表示装置。
【請求項６】
前記表示器は、作動の停止によって光の透過率を低下させるネガ型の液晶パネル（３１）を有する請求項１〜５のいずれか一項に記載の表示装置。
【発明の詳細な説明】
【技術分野】
【０００１】
本発明は、複数の表示物を表示領域に発光表示する表示装置に関する。
【背景技術】
【０００２】
従来、例えば特許文献１には、車両のセンタークラスタに配置されたディスプレイの周囲に、中抜き文字等の意匠を発光表示させる操作表示パネルを設けた構成が開示されている。この操作表示パネルは、中抜き文字等の形状を規定する透光部と、光の透過率を調整するフィルムシートとを有しており、ＬＥＤによって透光部を照明される。そして、ＬＥＤが消灯されると、操作表示パネルは、フィルムシートによる光の減衰作用により、透光部の存在が知覚困難な所謂ブラックアウトの状態となる。
【先行技術文献】
【特許文献】
【０００３】
【特許文献１】特開２０１２−７９４２５号公報
【発明の概要】
【発明が解決しようとする課題】
【０００４】
さて、本開示の発明者は、特許文献１のフィルムシートのような減衰部によって、ディスプレイのような表示器の正面側をさらに覆う構成の表示装置を想到した。こうした表示装置では、ＬＥＤ等の光源と表示器とが共に消灯されることで、操作入力パネルユニット及び表示器の両方を含む表示領域の全体が一体的にブラックアウトした状態となる。その結果、消灯時における表示装置の見映えが向上し得る。
【０００５】
しかし、こうした表示装置を開発する過程において、発明者は、新たな課題に直面した。詳記すると、消灯状態の表示装置に強い外光が照射されると、消灯されたディスプレイの画面は視認者から知覚困難であるものの、実体のある透光部の形状は、表示装置の視認者に知覚可能となってしまうのである。
【０００６】
そのため発明者は、減衰部の透過率をさらに低く調整し、強い外光が照射された場合でも、透光部の形状を視認者から知覚困難にすることを検討した。しかし、減衰部の透過率を低く調整する場合、ディスプレイから射出される光の輝度をさらに向上させる必要が生じてしまう。故に、減衰部の透過率を低く調整することは、非常に困難であった。
【０００７】
本開示は、このような問題に鑑みてなされたものであり、その目的は、減衰部の光の透過率を低下させなくても、消灯状態において、透光部の存在を視認者から知覚困難にすることが可能な表示装置を提供することにある。
【課題を解決するための手段】
【０００８】
上記目的を達成するため、開示された第一の態様は、第一表示物（１３ａ）及び第二表示物（１３ｂ）を少なくとも含む複数の表示物（１３）が表示領域（１２）に発光表示される表示装置であって、表示物を発光表示させる光を減衰させつつ射出する減衰部（１１）、を有する外表面パネル（１０）と、表示領域に第一表示物を発光表示させる光を減衰部に入射させ、当該第一表示物の表示態様を変形可能な表示器（３０）と、表示領域に第二表示物を発光表示させる光を放出する光源（５４）と、第二表示物の形状を規定する透光部（２４）が形成された遮光層（２３）、及び表示領域側から遮光層を覆うことにより、透光部を通過した光源からの光を減衰させる減衰層（２２）、を有し、減衰層にて減衰された光を減衰部に入射させることで表示領域に第二表示物を発光表示させる表示形成部材（２０，２２０）と、を備える表示装置とされる。
【０００９】
この態様では、表示形成板において透光部を形成する遮光層が、表示領域側から減衰層によって覆われている。故に、発光表示の停止時において表示領域に照射された強い外光は、表示領域及び透光部の間において、外表面パネルの減衰部だけでなく、表示形成板の減衰層でも減衰される。以上によれば、減衰部の光の透過率を低下させなくても、消灯状態において、透光部の存在を視認者から知覚困難にすることが可能になる。
【００１０】
尚、上記括弧内の参照番号は、後述する実施形態における具体的な構成との対応関係の一例を示すものにすぎず、本発明の範囲を何ら制限するものではない。
【図面の簡単な説明】
【００１１】
【図１】第一実施形態による操作装置の正面図である。
【図２】操作装置の構成を説明する図であって、図１のＩＩ−ＩＩ線断面図である。
【図３】図２の領域ＩＩＩを拡大した拡大図である。
【図４】図２の領域ＩＶを拡大した拡大図である。
【図５】表示領域をブラックアウトさせた状態の操作装置の正面図である。
【図６】図４の変形例を示す図である。
【発明を実施するための形態】
【００１２】
以下、本開示の複数の実施形態を図面に基づいて説明する。尚、各実施形態において対応する構成要素には同一の符号を付すことにより、重複する説明を省略する場合がある。各実施形態において構成の一部分のみを説明している場合、当該構成の他の部分については、先行して説明した他の実施形態の構成を適用することができる。また、各実施形態の説明において明示している構成の組み合わせばかりではなく、特に組み合わせに支障が生じなければ、明示していなくても複数の実施形態の構成同士を部分的に組み合せることができる。
【００１３】
（第一実施形態）
図１に示す第一実施形態による操作装置１００は、空調制御装置１１０と電気的に接続されており、車両に搭載された空調装置を操作するためのユーザインターフェースの機能を有している。操作装置１００は、車両の室内において、運転者の手指が届き易いセンタークラスタ等に設置されている。操作装置１００の正面は、水平方向を長手とする長手形状とされている。操作装置１００の正面には、複数のプッシュスイッチ４０及び二つのダイヤルノブ８０に加えて、複数の表示物１３を表示可能な表示領域１２が設けられている。
【００１４】
各プッシュスイッチ４０は、操作装置１００の正面の下縁に沿って、水平方向に並べて配置されている。各プッシュスイッチ４０には、運転者等によって押圧操作が入力される。各プッシュスイッチ４０には、例えば風量の調整機能、内気循環モードと外気導入モードとの切り替え機能、吹き出し口の切り替え機能等、空調装置の動作状態を変更する機能がそれぞれ割り当てられている。
【００１５】
各ダイヤルノブ８０は、操作装置１００の正面のうちで、水平方向の両端部分に一つずつ配置されている。各ダイヤルノブ８０は、各プッシュスイッチ４０の上方に位置している。ダイヤルノブ８０には、運転者等によって回転操作が入力される。各ダイヤルノブ８０には、例えば運転席側及び助手席側の設定温度を調整する機能がそれぞれ割り当てられている。
【００１６】
表示領域１２には、マルチ表示領域１２ａとシンボル表示領域１２ｂとが少なくとも含まれている。表示領域１２には、ステータスアイコン１３ａ及びシンボルアイコン１３ｂを少なくとも含む複数の表示物１３が発光表示される。
【００１７】
マルチ表示領域１２ａは、二つのダイヤルノブ８０の間に位置している。マルチ表示領域１２ａは、操作装置１００の水平方向を長手とする横長の矩形形状とされている。マルチ表示領域１２ａには、複数のステータスアイコン１３ａが表示される。ステータスアイコン１３ａは、プッシュスイッチ４０及びダイヤルノブ８０への操作の入力に基づき、空調制御装置１１０にて現在設定されている動作状態を示している。具体的に、ステータスアイコン１３ａは、運転席側及び助手席側の設定温度、吹き出し口の設定、並びに風量の設定等を模式的に示すことができる。
【００１８】
シンボル表示領域１２ｂは、複数のプッシュスイッチ４０の上方に位置している。シンボル表示領域１２ｂは、複数のプッシュスイッチ４０が並ぶ水平方向に沿って、横長に形成されている。シンボル表示領域１２ｂには、複数のシンボルアイコン１３ｂが表示される。各シンボルアイコン１３ｂは、各プッシュスイッチ４０の上方に一つずつ表示される。各シンボルアイコン１３ｂは、隣接するプッシュスイッチ４０に割り当てられた機能を模式的に示す文字又は図形である。
【００１９】
以上の操作装置１００の詳細な構成を、図１及び図２に基づいて説明する。
【００２０】
操作装置１００は、アウターパネル１０、液晶表示器３０、回路基板５０、プッシュノブ４１、ハウジング６０、シンボルプリズム２８、及び表示形成板２０等によって構成されている。以下の説明では、回路基板５０に対してアウターパネル１０の位置する方向を正面側といい、アウターパネル１０に対して回路基板５０が位置する方向を背面側という。
【００２１】
アウターパネル１０は、アクリル樹脂又はポリカーボネート樹脂等の透光性の樹脂材料によって板状に形成されている。アウターパネル１０を形成する樹脂材料は、グレー等に着色されており、入射した光を減衰させて射出する。アウターパネル１０は、ハウジング６０に取り付けられており、操作装置１００の正面を形成している。アウターパネル１０は、減衰部１１を有している。
【００２２】
減衰部１１には、入射面１５、射出面１６、及び複数のスイッチ開口１８が形成されている。入射面１５は、液晶表示器３０及び表示形成板２０と向かうあう減衰部１１の背面である。射出面１６は、車室内側に露出した減衰部１１の外表面であって、入射面１５から入射した光を射出する。射出面１６は、表示領域１２を形成している。減衰部１１において、入射面１５は、概ねフラットに形成された射出面１６に沿う形状とされている。これにより、減衰部１１の板厚は、表示領域１２の全域で実質的に均一となっている。減衰部１１は、各表示物１３を発光表示させる光を入射面１５から入射させ、減衰させつつ射出面１６から射出する。減衰部１１の光の透過率は、例えば１０〜２０パーセント程度に設定されている。表示領域１２を形成する全範囲において、減衰部１１の光の透過率は、実質一様とされている。
【００２３】
スイッチ開口１８は、減衰部１１を板厚方向に貫通する貫通孔である。スイッチ開口１８は、操作装置１００の水平方向に沿って、互いに間隔を開けて複数形成されている。各スイッチ開口１８の開口形状は、プッシュノブ４１の先端の外形形状に合わせられている。各スイッチ開口１８は、背面側から挿入されたプッシュノブ４１の先端を正面側に突き出させている。
【００２４】
液晶表示器３０は、液晶パネル３１、バックライトプリズム３３、及びバックライトＬＥＤ（Light Emitting Diode）３４等によって構成されている。液晶パネル３１は、表示形成板２０を挟んで入射面１５と向かい合う表示画面３２を有している。表示画面３２には、マルチ表示領域１２ａを通して視認される複数のステータスアイコン１３ａが表示される。表示画面３２には、各ステータスアイコン１３ａの形状を規定する複数のセグメントが予め形成されている。各セグメントは、電圧の印加によって光の透過率を変化させる。第一実施形態の液晶パネル３１は、ネガ型の液晶パネルである。各セグメントは、電圧を印加されることにより、光の透過率を高めて光を透過させる状態となる。液晶パネル３１は、各ステータスアイコン１３ａの表示態様を、空調制御装置１１０の作動状態に合わせて変形させることが可能である。そして、作動を停止した状態において、液晶パネル３１は、各セグメントの光の透過率を低下させ、表示画面３２を一様にブラックアウトさせた状態となる。
【００２５】
バックライトプリズム３３は、アクリル樹脂等の無色透明の樹脂材料によって形成されている。バックライトプリズム３３は、液晶パネル３１とバックライトＬＥＤ３４との間に配置されている。バックライトＬＥＤ３４は、マルチ表示領域１２ａにステータスアイコン１３ａを発光表示させるための光源である。バックライトＬＥＤ３４は、回路基板５０に複数実装されており、バックライトプリズム３３へ向けて白色光を放出する。バックライトＬＥＤ３４の光は、バックライトプリズム３３によって拡散されつつ液晶パネル３１の背面に到達し、表示画面３２に形成された画像を透過照明する。各セグメントを透過した光が減衰部１１をさらに透過することにより、マルチ表示領域１２ａにシンボルアイコン１３ｂが視認されるようになる。
【００２６】
回路基板５０は、板状に形成されており、アウターパネル１０に沿った姿勢で、ハウジング６０に保持されている。回路基板５０には、操作装置１００の作動を制御する制御回路５１が形成されている。制御回路５１は、各表示物１３の表示制御と、操作入力に基づいて空調制御装置１１０の設定を変更させる操作制御とを、少なくとも実行可能である。制御回路５１は、複数のタクタイルスイッチ５３、複数のシンボルＬＥＤ５４、上述のバックライトＬＥＤ３４、液晶パネル３１の駆動回路、及びこれらを制御するマイクロコントローラ等によって構成されている。
【００２７】
タクタイルスイッチ５３及びシンボルＬＥＤ５４は、回路基板５０のおもて面に水平方向に沿って複数実装されている。タクタイルスイッチ５３は、プッシュスイッチ４０への操作入力を電気信号に変換する電子部品である。シンボルＬＥＤ５４は、シンボル表示領域１２ｂにシンボルアイコン１３ｂを発光表示させる光を放出する光源である。シンボルＬＥＤ５４は、例えばバックライトＬＥＤ３４と同様に、白色光を放出する。
【００２８】
プッシュノブ４１は、樹脂材料によって柱状に形成されている。プッシュノブ４１は、軸方向を回路基板５０に対して実質直交させた姿勢にて、ハウジング６０に支持されている。プッシュノブ４１は、軸方向に沿って変位可能である。プッシュノブ４１の軸方向の両端には、入力部４２及び押圧部４３が設けられている。入力部４２は、スイッチ開口１８から正面側に露出している。入力部４２には、見映えを向上させるための銀色のメッキ処理が施されている。押圧部４３は、タクタイルスイッチ５３と対向している。入力部４２への押圧操作の入力により、押圧部４３は、タクタイルスイッチ５３と接触し、当該スイッチ５３を一時的にオン状態に切り替える。
【００２９】
ハウジング６０は、液晶表示器３０、回路基板５０、及び表示形成板２０等を収容する構成である。ハウジング６０は、インナーケース６１及びリヤケース６８等によって構成されている。インナーケース６１及びリヤケース６８は、ＡＢＳ樹脂等の遮光性の樹脂材料によって形成されている。
【００３０】
インナーケース６１は、アウターパネル１０とリヤケース６８との間に位置している。インナーケース６１の正面側には、アウターパネル１０が嵌め込まれている。インナーケース６１の背面側には、回路基板５０が組み付けられている。インナーケース６１には、バックライトリフレクタ６２、シンボルリフレクタ６３、及びノブ支持部６４が形成されている。
【００３１】
バックライトリフレクタ６２は、液晶パネル３１と回路基板５０との間に設けられている。バックライトリフレクタ６２は、正面側に向かうに従って内法を拡大させる筒状に形成されている。バックライトリフレクタ６２には、バックライトプリズム３３が収容されている。バックライトリフレクタ６２は、バックライトプリズム３３からの光の漏れを抑制する。
【００３２】
シンボルリフレクタ６３は、バックライトリフレクタ６２の下方に設けられている。シンボルリフレクタ６３は、軸方向を回路基板５０に実質直交させた筒状に形成されている。シンボルリフレクタ６３は、シンボルプリズム２８を収容している。シンボルリフレクタ６３は、シンボルプリズム２８からの光の漏れを抑制している。ノブ支持部６４は、各シンボルリフレクタ６３の下方に複数設けられている。各ノブ支持部６４はそれぞれ、軸方向への変位を許容しつつ、プッシュノブ４１を収容している。
【００３３】
リヤケース６８は、インナーケース６１の背面側に取り付けられている。リヤケース６８は、回路基板５０を収容する空間を形成している。
【００３４】
シンボルプリズム２８は、バックライトプリズム３３と同様に、無色透明なアクリル樹脂等によって形成されている。バックライトプリズム３３は、表示形成板２０とシンボルＬＥＤ５４との間に配置されている。シンボルプリズム２８は、シンボルＬＥＤ５４から放出された光を正面側に導光し、表示形成板２０と対向するプリズム射出面２９から、シンボル表示領域１２ｂへ向けて射出する。
【００３５】
表示形成板２０は、図２〜図４に示すように、全体として表示領域１２の形状に対応した板状に形成されている。表示形成板２０は、回路基板５０及び減衰部１１に板面方向を沿わせた姿勢にて、減衰部１１と液晶パネル３１との間に配置されている。表示形成板２０は、透光基材シート２１、遮光印刷層２３、及びスモーク印刷層２２等によって構成されている。
【００３６】
透光基材シート２１は、例えばポリカーボネート等の無色透明な透光性の薄板材によって形成されている。透光基材シート２１は、シンボルプリズム２８及び液晶パネル３１の両方の正面側に配置されており、表示画面３２及びプリズム射出面２９の両方を表示領域側から一体的に覆っている。透光基材シート２１は、単独では形状維持が困難な遮光印刷層２３及びスモーク印刷層２２を支持している。透光基材シート２１は、スモーク印刷層２２及び遮光印刷層２３に対して、減衰部側に位置している。表示形成板２０は、平滑に形成された透光基材シート２１のおもて面を、減衰部１１の入射面１５と対向配置させている。
【００３７】
遮光印刷層２３は、スモーク印刷層２２に塗布された黒色等の遮光性の塗料によって形成されている。遮光印刷層２３には、複数の透光開口部２４が形成されている。各透光開口部２４は、遮光印刷層２３に設けられた欠損部分であって、光を透過させることができる。各透光開口部２４の開口形状は、各シンボルアイコン１３ｂ（図１参照）の形状と実質同一である。このようにして各透光開口部２４は、各シンボルアイコン１３ｂの形状を規定している。遮光印刷層２３は、透光基材シート２１の背面のうちで、プリズム射出面２９を覆う領域にのみ形成されており、表示画面３２を覆う液晶カバー領域２１ａを避けて形成されている。故に、遮光印刷層２３は、液晶パネル３１から射出された光を遮らない。
【００３８】
スモーク印刷層２２は、透光基材シート２１と遮光印刷層２３との間に形成されている。スモーク印刷層２２は、光の透過率を調整された透光性の塗料によって形成されている。表示形成板２０では、透光基材シート２１の一方の面にスモーク印刷層２２が形成された後に、スモーク印刷層２２を覆うようにして遮光印刷層２３が形成されている。
【００３９】
スモーク印刷層２２は、減衰部１１よりも薄い薄膜状に形成されている。またスモーク印刷層２２における光の透過率は、例えば２５パーセント程度に設定されており、減衰部１１の光の透過率よりも高く設定されている。スモーク印刷層２２は、表示領域１２側から、透光開口部２４を含む遮光印刷層２３を覆っている。スモーク印刷層２２の光の透過率は、遮光印刷層２３を覆う全域で一様とされている。
【００４０】
こうした構成により、スモーク印刷層２２は、透光開口部２４を通過したシンボルＬＥＤ５４からの光を減衰させる。表示形成板２０は、スモーク印刷層２２にて減衰された光を減衰部１１に入射させることで、シンボル表示領域１２ｂにシンボルアイコン１３ｂ（図１参照）を発光表示させる。
【００４１】
スモーク印刷層２２は、遮光印刷層２３と同様に、透光基材シート２１の背面のうちでプリズム射出面２９を覆う領域にのみ形成されており、表示画面３２を覆う液晶カバー領域２１ａを避けて形成されている。故に、スモーク印刷層２２は、液晶パネル３１から射出された光を減衰させない。
【００４２】
次に、ここまで説明した液晶パネル３１、バックライトＬＥＤ３４、及びシンボルＬＥＤ５４が全てオフ状態とされた操作装置１００の消灯状態について、図５に基づき、図１及び図２を参照しつつ説明する。
【００４３】
液晶パネル３１の作動停止とバックライトＬＥＤ３４の消灯により、各ステータスアイコン１３ａは、マルチ表示領域１２ａから消失する。これにより、表示画面３２から減衰部１１に入射する光が無くなるため、減衰部１１を通して表示画面３２を視認することが困難となる。また、シンボルＬＥＤ５４の消灯により、発光表示を停止された各シンボルアイコン１３ｂは、シンボル表示領域１２ｂから消失する。故に、減衰部１１を通して透光開口部２４（図４参照）を視認することが困難となる。以上により、操作装置１００は、表示領域１２の全体をブラックアウトさせた状態となる。
【００４４】
このようにブラックアウト状態とされた操作装置１００の正面に、強い外光が照射された場合を、図２〜図４に基づいて説明する。
【００４５】
消灯状態とされた操作装置１００では、マルチ表示領域１２ａの背面側に位置する液晶パネル３１が、表示画面３２全体をブラックアウトさせた状態となっている。この状態では、表示画面３２における光の反射率が全体的に低くなり、且つ、表示画面３２の各箇所における光の反射率も概ね均一となる。故に、マルチ表示領域１２ａに強い外光が照射されても、減衰部１１を通して表示画面３２の存在を知覚することは、依然として困難である。
【００４６】
一方、シンボル表示領域１２ｂの背面側には、光を反射させ難い黒色の遮光印刷層２３と、透光開口部２４から覗く反射率の高いプリズム射出面２９とが共に位置している。故に、マルチ表示領域１２ａに強い外光が照射されると、仮にスモーク印刷層２２が無い場合では、プリズム射出面２９にて反射された外光が減衰部１１を透過して正面側に射出されてしまい得る。その結果、シンボルアイコン１３ｂ（図１参照）を模った透光開口部２４の形状が、減衰部１１を透過して視認者に透けて見えてしまうのである。
【００４７】
こうした事態を防ぐために、第一実施形態では、透光開口部２４を形成している遮光印刷層２３が、表示領域１２側からスモーク印刷層２２によって覆われている。故に、操作装置１００の正面に照射された強い外光は、表示領域１２及び透光開口部２４の間において、アウターパネル１０の減衰部１１だけでなく、表示形成板２０のスモーク印刷層２２でも減衰される。具体的には、シンボル表示領域１２ｂに照射された外光は、減衰部１１及びスモーク印刷層２２それぞれの各透過率を掛け合わせた約５パーセント程度しか、遮光印刷層２３に到達しない。加えて、プリズム射出面２９にて反射された外光のうちで、さらに約５パーセント程度しか、シンボル表示領域１２ｂから射出されない。したがって、減衰部１１の光の透過率を低下させなくても、操作装置１００の消灯状態において、透光開口部２４の存在を視認者から知覚困難にすることが可能になる。
【００４８】
加えて、減衰部１１の光の透過率が高く維持されることによれば、バックライトＬＥＤ３４の輝度を高めなくても、ステータスアイコン１３ａは、高輝度にて表示可能となる。故に、バックライトＬＥＤ３４の数を増加させること、及び印加される電流値の増加に伴ってバックライトＬＥＤ３４の冷却構造（例えば、ファン等）を追加すること等が、不要になる。以上によれば、操作装置１００は、低コスト化に寄与する簡素な構成を維持できる。
【００４９】
また第一実施形態では、表示形成板２０の透光基材シート２１が、アウターパネル１０の内側において、表示画面３２と透光開口部２４とを一体的に覆っている。故に、透光基材シート２１の縁部は、表示画面３２及びプリズム射出面２９の外周側に位置する。そのため、表示領域１２に強い外光が照射され、減衰部１１の内側が僅かに透けて見えた場合でも、フラットに形成された透光基材シート２１のおもて面が視認されるのみとなる。このように、透光基材シート２１の縁部を減衰部１１の背面側に設けない構成によれば、透けた透光基材シート２１の縁部が視認者に知覚されて、操作装置１００の見映えを悪化させる事態は、回避される。
【００５０】
さらに第一実施形態では、スモーク印刷層２２は、透光基材シート２１よりも背面側に位置している。故に、表示領域１２に強い外光が照射されても、透光基材シート２１のフラットなおもて面が僅かに透けて見える程度となり、スモーク印刷層２２の縁部の陰影が視認者に知覚される事態は、回避される。
【００５１】
加えて第一実施形態では、アウターパネル１０において、表示領域１２を形成する減衰部１１の厚さが実質一定とされている。故に、板厚の変化部位が局部的に照明されてしまい、不自然な見映えになる事態は、回避される。さらに、運転者が視線を振って表示領域１２を見た場合に、板厚の変化部位とシンボルアイコン１３ｂの発光表示とが交差し、シンボルアイコン１３ｂの形状が歪んで見えてしまう事態も、回避される。
【００５２】
また第一実施形態では、液晶表示器３０にネガ型の液晶パネル３１が用いられているので、作動を停止した液晶パネル３１は、表示画面３２の全体をブラックアウトさせた状態となる。こうした構成であれば、減衰部１１を透過した光が表示画面３２に到達しても、減衰部１１側へ反射される光は、ごく僅かとなる。故に、減衰部１１の光の透過率を高く設定しても、アウターパネル１０越しに表示画面３２が透けて見えてしまう事態は、いっそう生じ難くなる。
【００５３】
尚、第一実施形態において、アウターパネル１０が「外表面パネル」に相当し、ステータスアイコン１３ａが「第一表示物」に相当し、シンボルアイコン１３ｂが「第二表示物」に相当する。また、表示形成板２０が「表示形成部材」に相当し、透光基材シート２１が「透光基材」に相当し、液晶カバー領域２１ａが「領域」に相当し、スモーク印刷層２２が「減衰層」に相当する。さらに、遮光印刷層２３が「遮光層」に相当し、透光開口部２４が「透光部」に相当し、液晶表示器３０が「表示器」に相当し、シンボルＬＥＤ５４が「光源」に相当し、操作装置１００が「表示装置」に相当する。
【００５４】
（第二実施形態）
図６に示す第二実施形態の表示形成板２２０では、透光基材シート２１、スモーク印刷層２２、及び遮光印刷層２３の位置関係が第一実施形態とは異なっている。表示形成板２２０の透光基材シート２１は、スモーク印刷層２２及び遮光印刷層２３に対して背面側に位置しており、シンボルプリズム２８のプリズム射出面２９と向かい合っている。一方で、スモーク印刷層２２は、入射面１５と向かい合う位置にて、第一実施形態と同様に、遮光印刷層２３を減衰部１１側から覆っている。即ち、遮光印刷層２３は、透光基材シート２１とスモーク印刷層２２との間に設けられている。以上の表示形成板２２０では、透光基材シート２１の一方の面に遮光印刷層２３が形成された後で、この遮光印刷層２３を覆うようにしてスモーク印刷層２２が形成される。
【００５５】
ここまで説明した第二実施形態でも、遮光印刷層２３の表示領域１２（図２参照）側は、スモーク印刷層２２によって覆われている。故に、第一実施形態と同様の効果を奏し、消灯状態において、透光開口部２４の存在を視認者から知覚困難にすることが可能になる。尚、第二実施形態では、表示形成板２２０が「表示形成部材」に相当する。
【００５６】
（他の実施形態）
以上、複数の実施形態について説明したが、本開示は、上記実施形態に限定して解釈されるものではなく、本開示の要旨を逸脱しない範囲内において種々の実施形態及び組み合わせに適用することができる。
【００５７】
上記実施形態では、表示形成板２０の透光基材シート２１が、プリズム射出面２９だけでなく表示画面３２も覆う構成であった。しかし、表示形成板は、少なくともプリズム射出面を覆っていれば、表示画面を覆っていなくてもよい。さらに、表示画面の同一形状の開口が、表示形成板に設けられていてもよい。
【００５８】
上記実施形態では、スモーク印刷層２２における光の透過率は、減衰部１１における光の透過率よりも高く設定されていた。しかし、スモーク印刷層及び減衰部それぞれの透過率は、適宜変更可能である。例えば、スモーク印刷層及び減衰部の各透過率は、実質同一であってもよい。さらに、スモーク印刷層の透過率は、減衰部の透過率よりも低く設定可能である。
【００５９】
上記実施形態における減衰部１１の板厚及び透過率は、表示領域１２を形成している全範囲において、実質一様とされていた。しかし、減衰部の厚さは、表示領域を形成している範囲の各所において、互いに異なっていてもよい。
【００６０】
上記実施形態におけるアウターパネル１０は、単一のスモーク材料よりなる一体物として形成されていた。しかし、例えば減衰部を形成するスモークパネルと、表示領域を形成する操作面パネルとを重ね合わせた構成のアウターパネルが形成されていてもよい。さらに、スモークパネルに替えて、スモーク印刷層２２のような薄膜状の遮光層が「遮光部」として、アウターパネルに設けられていてもよい。
【００６１】
上記実施形態の表示器は、ネガ型の液晶パネル３１をバックライトと組み合わせた構成であった。しかし、表示器の構成は、適宜変更可能である。例えば、ネガ型の液晶パネルに替えて、ポジ型の液晶パネルをバックライトと組み合わせた構成が、表示器とされてもよい。さらに、多数の画素を二次元状に配列したドットマトリクス方式の液晶パネルを、バックライトと組み合わせることにより、表示器として採用することが可能である。或いは、有機ＥＬパネル等の自発光可能なディスプレイパネルが、表示器として採用されていてもよい。このような表示器は、操作装置に複数設けることが可能である。
【００６２】
上記実施形態の表示形成板は、透光基材シート２１にスモーク印刷層２２及び遮光印刷層２３を印刷によって形成した構成であった。しかし、表示形成板は、例えば透光基材シートに、スモーク印刷層及び遮光印刷層に相当する光学フィルムを貼り付けた構成であってもよい。さらに、それぞれ「減衰層」及び「遮光層」に相当する薄板状のスモーク板及び遮光板を互いに重ね合わせた構成が、表示形成部材として採用可能である。
【００６３】
上記実施形態の透光開口部２４は、遮光印刷層２３に設けられた単なる開口であった。しかし、遮光印刷層に設けられた開口を透光性の塗料によって埋めることにより、シンボルアイコンの形状を規定する透光部が形成されていてもよい。
【００６４】
上記実施形態では、スモーク印刷層２２の透過率は、一様に設定されていた。しかし、例えばスモーク印刷層の透過率は、例えばシンボルアイコン毎に異なっていてもよい。こうした構成であれば、シンボルアイコン毎に発光表示の色が互いに異なる形態において、視認者によって感じられる明るさの違いを調整することが可能になる。
【００６５】
上記実施形態では、バックライトＬＥＤ３４及びシンボルＬＥＤ５４が別々の構成として設けられていたが、ステータスアイコン及びシンボルアイコンは、共通の光源から放射される光によって発光表示されてもよい。
【００６６】
以上、車両の空調装置を操作する操作装置に、本開示の特徴構成を適用した例を説明した。しかし、こうした特徴構成の適用対象は、上述の操作装置に限定されない。例えば、車両に搭載されるコンビネーションメータ等の表示装置、及び車両以外での使用が主である携帯端末等の表示装置にも、本開示の特徴構成は、適用可能である。
【符号の説明】
【００６７】
１０  アウターパネル（外表面パネル）、１１  減衰部、１２  表示領域、１３  表示物、１３ａ  ステータスアイコン（第一表示物）、１３ｂ  シンボルアイコン（第二表示物）、１５  入射面、１６  射出面、２０，２２０  表示形成板（表示形成部材）、２１  透光基材シート（透光基材）、２１ａ  液晶カバー領域（領域）、２２  スモーク印刷層（減衰層）、２３  遮光印刷層（遮光層）、２４  透光開口部（透光部）、３０  液晶表示器（表示器）、３１  液晶パネル、５４  シンボルＬＥＤ（光源）、１００  操作装置（表示装置）
【図１】
0006350489.tif 000002
【図２】
0006350489.tif 000003
【図３】
0006350489.tif 000004
【図４】
0006350489.tif 000005
【図５】
0006350489.tif 000006
【図６】
0006350489.tif 000007